(57)【特許請求の範囲】
【請求項１】
所定の周期で明滅される光源を用いてプラテンガラスに載置された原稿を読み取り、原稿サイズを判定する画像形成装置であって、
前記光源を複数の周期のいずれかで駆動させる駆動手段と、
外乱光を検出する外乱光検出手段と、
該外乱光検出手段によって検出された前記外乱光の変動周波数に基づいて、前記駆動手段によって前記光源を駆動する周期を、前記光源の変動周波数が前記外乱光の変動周波数から最も離れたものになるように設定する光源駆動周期設定手段と、
前記外乱光検出手段によって検出された前記外乱光の光量を判定する光量判定手段と、
該光量判定手段によって、前記外乱光の光量が予め設定された閾値よりも小さいと判定された場合には、光量に基づいて原稿サイズを判定する第１の原稿サイズ判定処理を行い、前記光量判定手段によって、前記外乱光の光量が予め設定された閾値以上であると判定された場合には、変動周波数に基づいて原稿サイズを判定する第２の原稿サイズ判定処理を行う原稿サイズ判定手段とを具備することを特微とする画像形成装置。
【請求項２】
原稿載置部に載置された前記原稿を１枚ずつ順に繰りだす原稿給送手段を具備し、
前記外乱光検出手段は、前記原稿載置部に載置された前記原稿の有無を検出する原稿センサーであることを特微とする請求項１記載の画像形成装置。
【請求項３】
前記駆動手段は、前記光源を第１周期もしくは第２周期のいずれかで駆動させ、
前記光源駆動周期設定手段は、前記外乱光検出手段によって検出された前記外乱光の変動周波数に基づいて、前記駆動手段によって前記光源を駆動する周期を、前記光源の変動周波数が前記外乱光の変動周波数からより離れたものになるように、前記第１周期もしくは前記第２周期のいずれかに設定することを特微とする請求項１又は２記載の画像形成装置。
【請求項４】
前記外乱光検出手段によって検出された前記外乱光の変動周波数が、前記光源の現在の変動周波数と類似しているか否かを類似判定する類似判定手段を具備し、
前記光源駆動周期設定手段は、前記類似判定手段によって類似と判定されない場合には、前記光源を駆動する周期の設定を変更させることなく、前記類似判定手段によって類似と判定された場合には、前記光源を駆動する周期の設定を変更させることを特微とする請求項１乃至３のいずれかに記載の画像形成装置。
【発明の詳細な説明】
【技術分野】
【０００１】
本発明は、プラテンガラスに載置された原稿を読み取る原稿読み取り装置を備えた画像形成装置に係り、特に原稿サイズ判定機能を有する画像形成装置に関する。
【背景技術】
【０００２】
従来、プラテンガラスに写真や文書等の原稿を読み取る原稿読み取り装置を備えた画像形成装置として電子複写機、ファクシミリ等が知られている。このような画像形成装置では、始めにプラテンガラスに載置された原稿の原稿サイズを判定し、判定した原稿サイズに基づいて読み取りの制御や印刷する用紙の選択等を行うものが知られている。
【０００３】
原稿サイズの検出方法としては、原稿を読み取るスキャナーによって読み取った画像データーを用いて行うことが提案されている（例えば、特許文献１、２参照）。特許文献１では、上部カバーが開いたタイミングで原稿が載置される前におけるプラテンガラスからの外乱光分布を取り入れると共と、上部カバーが閉まるタイミングでスキャナーによって原稿を読み取り、読み取った画像データーから外乱光分布を差し引いて原稿サイズを検出している。また、特許文献２では、光源の変動周波数を外乱光の変動周波数とは異なるものに設定し、上部カバーが閉まるタイミングでスキャナーによって原稿を読み取り、読み取った画像データーから変動周期の違いにより原稿サイズを検出している。
【先行技術文献】
【特許文献】
【０００４】
【特許文献１】特開平９−１３５３３０
【特許文献２】特開２００６−１９７２６８
【発明の概要】
【発明が解決しようとする課題】
【０００５】
しかしながら、特許文献１の従来技術においては、上部カバーが開閉されるたびに無条件で外乱光分布の取り入れ処理と、読み取った画像データーから外乱光分布を差し引く画像処理動作とを行う必要があり、原稿サイズ検出動作が煩雑なものになってしまうという問題点があった。また、特許文献２の従来技術においては、光源の変動周波数を工場出荷時やエンドユーザー、サービスマンによって手動で設定する必要があるが、ＬＥＤ照明の普及により外乱光の変動周波数が多様化していくことが予想され、外乱光の変動周波数を容易に把握することができなくなるため、手動の設定で対応することは困難である。
【０００６】
本発明の目的は、上記問題点に鑑み、従来技術の問題を解決し、手動の設定を行うことなく、外乱光の状況に応じて適切な原稿サイズ検出動作を選択して実行することができる画像形成装置を提供することにある。
【課題を解決するための手段】
【０００７】
本発明の画像形成装置は、所定の周期で明滅される光源を用いてプラテンガラスに載置された原稿を読み取り、原稿サイズを判定する画像形成装置であって、前記光源を複数の周期のいずれかで駆動させる駆動手段と、外乱光を検出する外乱光検出手段と、該外乱光検出手段によって検出された前記外乱光の変動周波数に基づいて、前記駆動手段によって前記光源を駆動する周期を、前記光源の変動周波数が前記外乱光の変動周波数から最も離れたものになるように設定する光源駆動周期設定手段と、前記外乱光検出手段によって検出された前記外乱光の光量を判定する光量判定手段と、該光量判定手段によって、前記外乱光の光量が予め設定された閾値よりも小さいと判定された場合には、光量に基づいて原稿サイズを判定する第１の原稿サイズ判定処理を行い、前記光量判定手段によって、前記外乱光の光量が予め設定された閾値以上であると判定された場合には、変動周波数に基づいて原稿サイズを判定する第２の原稿サイズ判定処理を行う原稿サイズ判定手段とを具備することを特微とする。
さらに、本発明の画像形成装置において、原稿載置部に載置された前記原稿を１枚ずつ順に繰りだす原稿給送手段を具備し、前記外乱光検出手段は、前記原稿載置部に載置された前記原稿の有無を検出する原稿センサーであっても良い。
さらに、本発明の画像形成装置において、前記駆動手段は、前記光源を第１周期もしくは第２周期のいずれかで駆動させ、前記光源駆動周期設定手段は、前記外乱光検出手段によって検出された前記外乱光の変動周波数に基づいて、前記駆動手段によって前記光源を駆動する周期を、前記光源の変動周波数が前記外乱光の変動周波数からより離れたものになるように、前記第１周期もしくは前記第２周期のいずれかに設定するようにしても良い。
さらに、本発明の画像形成装置において、前記外乱光検出手段によって検出された前記外乱光の変動周波数が、前記光源の現在の変動周波数と類似しているか否かを類似判定する類似判定手段を具備し、前記光源駆動周期設定手段は、前記類似判定手段によって類似と判定されない場合には、前記光源を駆動する周期の設定を変更させることなく、前記類似判定手段によって類似と判定された場合には、前記光源を駆動する周期の設定を変更させても良い。
【発明の効果】
【０００８】
本発明によれば、駆動手段によって光源を駆動する周期を、光源を変動周波数が外乱光の変動周波数から最も離れたものになるように設定し、外乱光の光量が予め設定された閾値よりも小さいと判定された場合には、光量に基づいて原稿サイズを判定する第１の原稿サイズ判定処理を行い、光量判定手段によって、外乱光の光量が予め設定された閾値以上であると判定された場合には、変動周波数に基づいて原稿サイズを判定する第２の原稿サイズ判定処理を行うように構成することにより、手動の設定を行うことなく、外乱光の状況に応じて適切な原稿サイズ検出動作を選択して実行することができるという効果を奏する。
【図面の簡単な説明】
【０００９】
【図１】本発明に係る画像形成装置の実施の形態の内部構成を示す概略模式断面図である。
【図２】図１に示す画像形成装置の概略構成を示すブロック図である。
【図３】本発明に係る画像形成装置の実施の形態における光源駆動周期決定動作について説明するためのフローチャートである。
【図４】本発明に係る画像形成装置の実施の形態における原稿サイズ判定動作について説明するためのフローチャートである。
【発明を実施するための形態】
【００１０】
次に、本発明の実施の形態を、図面を参照して具体的に説明する。
本実施の形態の画像形成装置１は、複写機であり、図１を参照すると、原稿読取部２と、原稿給送部３と、本体部４と、スタックトレイ５と、操作部６とを備えている。原稿読取部２は、本体部４の上部に配設され、原稿給送部３は、原稿読取部２の上部に配設されている。スタックトレイ５は、本体部４の形成された記録紙の排出口４１側に配設され、また、操作部６は、画像形成装置１の手前側に配設されている。また、原稿給送部３は、可倒式に構成され、原稿給送部３を上方に開くことで、原稿読取部２の上面を開放させることができる。
【００１１】
操作部６には、液晶表示部６１、操作ボタン６２が設けられている。ユーザーは操作部６を操作して指示を入力することで、画像形成装置１の各種の設定をし、画像形成等の各種機能を実行させる。液晶表示部６１は、画像形成装置１の状態を示したり、画像形成状況や印刷部数を表示したり、タッチパネルとして、両面印刷や白黒反転等の機能や倍率設定、濃度設定など各種設定を行えるようになっている。操作ボタン６２としては、画像形成を開始するようにユーザーが指示するスタートボタン、画像形成を中止する際等に使用するストップ／クリアボタン、画像形成装置１の各種設定をデフォルト状態にする際に使用するリセットボタン、テンキー等が設けられている。
【００１２】
原稿読取部２は、スキャナー２１と、プラテンガラス２２と、原稿読取スリット２３と、開閉センサー２４とを備える。スキャナー２１は、ＬＥＤ（Light Emitting Diode）を用いた光源２５及び受光部としてのＣＣＤ（Charge Coupled Device）センサー等からなり、原稿給送部３による原稿の搬送方向に移動可能に構成されている。光源２５の点灯は、駆動回路２６によって制御される。駆動回路２６は、光源２５を所定の周期で明滅させる、例えばＰＷＭ制御で光源２５を点灯させる。駆動回路２６では、光源２５を明滅させる周期を第１周期Ｔ１（ｓ）、第２周期Ｔ２（ｓ）の２種類の内のいずれかに設定することができるようになっている。従って、光源２５の変動周波数は、第１変動周波数１／Ｔ１と第２変動周波数１／Ｔ２とのいずれかになる。プラテンガラス２２は、ガラス等の透明部材により構成され、原稿読取部２の上面に配置された原稿台である。原稿給送部３は、プラテンガラス２２上面を開閉する上部カバーとして機能し、原稿給送部３を上方に開くことで、プラテンガラス２２上面が開放され、プラテンガラス２２に原稿をセットできる状態となる。原稿読取スリット２３は、原稿給送部３による原稿の搬送方向と直交する方向に形成されたスリットを有する。開閉センサー２４は、原稿給送部３の開閉を検出する上部カバー開閉検出手段であり、原稿給送部３が開いた開状態から、原稿給送部３が閉じられた閉状態に移行される過程で、原稿給送部３が完全に閉じられる前のタイミングを検出する。
【００１３】
原稿給送部３は、原稿載置部３１と、原稿排出部３２と、原稿搬送機構３３と、原稿センサー３４とを備えている。原稿載置部３１に載置された原稿は、原稿搬送機構３３によって、１枚ずつ順に繰り出されて原稿読取スリット２３に対向する位置へ搬送され、その後、原稿排出部３２に排出される。原稿センサー３４は、原稿載置部３１の原稿載置面に開口を有し、外乱光の受光の有無によって、原稿載置部３１に載置された原稿の有無を検出するフォトセンサー等の光学的センサーである。
【００１４】
原稿センサー３４によって原稿が検出されない状態で、操作部６の操作ボタン６２によって原稿の読み取りが指示されると、プラテンガラス２２に載置された原稿が読み取られる。プラテンガラス２２に載置された原稿を読み取る場合には、スキャナー２１は、プラテンガラス２２に対向する位置に移動され、プラテンガラス２２に載置された原稿を走査しながら原稿を読み取って画像データーを取得し、取得した画像データーを本体部４に出力する。
【００１５】
原稿センサー３４によって原稿が検出された状態で、操作部６の操作ボタン６２によって原稿の読み取りが指示されると、原稿給送部３により搬送された原稿が読み取られる。原稿給送部３により搬送された原稿を読み取る場合には、スキャナー２１は、原稿読取スリット２３と対向する位置に移動され、原稿読取スリット２３を介し、原稿給送部３による原稿の搬送動作と同期して原稿を読み取って画像データーを取得し、取得した画像データーを本体部４に出力する。
【００１６】
本体部４は、記録部７を備えると共に、給紙部４２と、用紙搬送路４３と、搬送ローラー４４と、排出ローラー４５とを備えている。給紙部４２は、複数の給紙カセット４２ａ１〜４２ａｎと、給紙カセット４２ａ１〜４２ａｎから記録紙を１枚ずつ用紙搬送路４３に繰り出す給紙ローラー４２ｂ１〜４２ｂｎとを備えている。給紙ローラー４２ｂ１〜４２ｂｎ、搬送ローラー４４及び排出ローラー４５が搬送部として機能し、記録紙が搬送される。給紙ローラー４２ｂ１〜４２ｂｎによって用紙搬送路４３に繰り出された記録紙は、搬送ローラー４４によって記録部７に搬送される。そして、記録部７によって記録が施された記録紙は、排出ローラー４５によってスタックトレイ５に排出される。
【００１７】
記録部７は、感光体ドラム７１と、露光部７２と、画像形成部７３と、転写部７４と、定着部７５とを備えている。露光部７２は、レーザー装置やミラー等を備えた光学ユニットであり、画像データーに基づいてレーザー光を出力して感光体ドラム７１を露光し、感光体ドラム７１の表面に静電潜像を形成する。画像形成部７３は、トナーを用いて感光体ドラム７１に形成された静電潜像を現像する現像ユニットであり、静電潜像に基づいたトナー像を感光体ドラム７１上に形成させる。転写部７４は、画像形成部４４によって感光体ドラム７１上に形成されたトナー像を記録紙に転写させる。定着部７５は、転写部７４によってトナー像が転写された記録紙を加熱してトナー像を記録紙に定着させる。
【００１８】
図２には、画像形成装置１の概略構成を示すブロック図が示されている。上述の原稿読取部２、原稿給紙部３、搬送部（給紙ローラー４２ｂ１〜４２ｂｎ、搬送ローラー４４、排出ローラー４５）、操作部６及び記録部７は、制御部８に接続され、制御部８によって動作制御される。また、制御部８には、画像処理部９と、記憶部１０と、外乱光判定部１１と、サイズ判定部１２とが接続されている。
【００１９】
制御部８は、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等を備えたマイクロコンピューター等の情報処理部である。ＲＯＭには画像形成装置１の動作制御を行うための制御プログラムが記憶されている。制御部８は、ＲＯＭに記憶されている制御プログラムを読み出し、制御プログラムをＲＡＭに展開させることで、操作部６から入力された所定の指示情報に応じて装置全体の制御を行う。
【００２０】
画像処理部９は、画像データーに対して所定の画像処理を行う手段であり、例えば、拡大縮小処理や、階調調整、濃度調整等の画像改善処理が行われる。
【００２１】
記憶部１０は、半導体メモリやＨＤＤ（Hard Disk Drive）等の記憶手段であり、原稿読取部２によって原稿を読み取ることで取得された画像データーが記憶されると共に、各種の管理情報が記憶されている。
【００２２】
外乱光判定部１１は、原稿センサー３４によって受光された外乱光の光量及び変動周波数を判定する外乱光判定手段である。原稿センサー３４からの出力は、受光された外乱光の光量に応じたレベルであり、外乱交の明滅（変動周波数）に応じて変化する。従って、外乱光判定部１１は、原稿センサー３４からの出力に基づいて外乱光の光量を判別し、外乱光の光量と予め設定された閾値とを比較判定して、比較判定結果を制御部８に出力する。また、外乱光判定部１１は、原稿センサー３４からの出力に基づいて外乱光の変動周波数を検出し、外乱光の変動周波数が光源２５の現在の変動周波数（１／Ｔ１or１／Ｔ２）と類似しているか類似判定し、類似判定結果を制御部８に出力する。
【００２３】
サイズ判定部１２は、原稿読取部２（スキャナー２１）からの出力を光量（入力レベル）に基づいて解析することで、原稿サイズを判定する第１の原稿サイズ判定処理と、原稿読取部２（スキャナー２１）からの出力を変動周波数に基づいて解析することで、原稿サイズを判定する第２の原稿サイズ判定処理とのいずれかの判定処理を行って原稿サイズを判定し、判定した原稿サイズを制御部８に出力する。
【００２４】
次に、本実施の形態の画像形成装置１における光源駆動周期決定動作について図３を参照して詳細に説明する。
図３を参照すると、制御部８は、所定のタイミングで外乱光判定部１１に対して、外乱光の変動周波数を判定する変動周波数判定処理を指示する。変動周波数判定処理が指示された外乱光判定部１１は、まず、原稿センサー３４からの出力に基づいて、原稿センサー３４によって外乱光が受光されているか否かを判断し（ステップＡ１）、外乱光が受光されていない場合には、制御部８に実行不可である旨を通知して変動周波数判定処理を終了する。
【００２５】
ステップＡ１で外乱光が受光されている場合には、外乱光判定部１１は、原稿センサー３４からの出力に基づいて外乱光の変動周波数を検出し（ステップＡ２）、検出した外乱光の変動周波数が光源２５の現在の変動周波数（１／Ｔ１or１／Ｔ２）と類似しているか否かを類似判定し（ステップＡ３）。類似判定結果を制御部８に出力する。なお、ステップＡ３の類似判定は、検出した外乱光の変動周波数が、光源２５の変動周波数１／Ｔ１と１／Ｔ２とのいずれにいずれに近いかを判断し、検出した外乱光の変動周波数が光源２５の現在の変動周波数（１／Ｔ１or１／Ｔ２）に近い値の場合には、類似と判定される。
【００２６】
ステップＡ３で類似と判定された場合には、制御部８は、光源２５を駆動する周期の変更を原稿読取部２の駆動回路２６に指示し、光源駆動周期決定動作を終了させる。これにより、少なくとも次回の光源駆動周期決定動作が行われるまで、駆動回路２６は、変更した周期で光源２５を駆動させる。例えば、光源２５が第１周期Ｔ１（ｓ）で駆動され、光源２５の変動周波数が第１変動周波数１／Ｔ１である場合に、ステップＡ３で類似と判定された場合には、光源２５の駆動が第２周期Ｔ２（ｓ）に設定され、光源２５の変動周波数が第２変動周波数１／Ｔ２に変更される。なお、ステップＡ３で類似でない判定された場合には、制御部８は、光源２５を駆動する周期の変更させることなく、光源駆動周期決定動作を終了させる。
【００２７】
ステップＡ１〜Ａ４の光源駆動周期決定動作を行うタイミングは、任意であるが、プラテンガラス２２に載置された原稿を読み取る前に、光源２５の変動周波数が外乱光の変動周波数からより離れたものになるように、光源２５を駆動する周期が設定されている必要があるため、初回は、画像形成装置１の設置時（初期設定時等）に行うことが望ましい。なお、画像形成装置１は基本的に室内で使用されるため、外乱光の変動周波数は照明に応じたものになり、設置された場所の照明を変更しない限り、外乱光の変動周波数は変化しない。従って、２回目以降は、１日おきや、電源立ち上げ時等の比較的長い時間間隔で行うことができる。
【００２８】
また、本実施の形態では、光源２５を駆動する周期を第１周期Ｔ１（ｓ）と第２周期Ｔ２（ｓ）との２種類としたが、第１周期Ｔ１（ｓ）と第２周期Ｔ２（ｓ）とは、大きく離れている方が望ましく、例えば第１周期Ｔ１（ｓ）と第２周期Ｔ２（ｓ）との桁数が異なるよう設定されている。さらに、光源２５を駆動する周期を３種類以上とし、光源２５の変動周波数が外乱光の変動周波数から最も離れたものになるように、光源２５を駆動する周期を設定するようにしても良い。
【００２９】
次に、本実施の形態の画像形成装置１における原稿サイズ判定動作について図４を参照して詳細に説明する。
【００３０】
図４を参照すると、開閉センサー２４によって、原稿給送部３が開いた開状態から、原稿給送部３が閉じられた閉状態への移行が検出されると（ステップＢ１）、制御部８は、原稿読取部２にプラテンガラス２２の読み取りを指示すると共に、外乱光判定部１１に外乱光の変動周波数を判定する光量判定処理を指示する。読み取りが指示された原稿読取部２は、駆動回路２６によって設定された周期で光源２５を駆動すると共に、スキャナー２１を移動させてプラテンガラス２２を読み取る（ステップＢ２）。
【００３１】
次に、光量判定処理が指示された外乱光判定部１１は、まず、原稿センサー３４からの出力に基づいて、原稿センサー３４によって外乱光が受光されているか否かを判断する（ステップＢ３）。ステップＢ３で外乱光が受光されていない場合には、外乱光判定部１１は、原稿の検出を制御部８に通知し、制御部８は、原稿サイズ判定動作終了させる。
【００３２】
ステップＢ３で外乱光が受光された場合には、外乱光判定部１１は、さらに、原稿センサー３４からの出力に基づいて外乱光の光量を判別し、外乱光の光量と予め設定された閾値とを比較判定し（ステップＢ４）、比較判定結果を制御部８に出力する。
【００３３】
ステップＢ４で外乱光の光量が予め設定された閾値よりも小さいと判定された場合には、制御部８は、光量による第１の原稿サイズ判定処理をサイズ判定部１２に指示し、サイズ判定部１２は、原稿読取部２（スキャナー２１）からの出力を光量（入力レベル）に基づいて解析することで、原稿サイズを判定する第１の原稿サイズ判定処理を実行する（ステップＢ５）。
【００３４】
ステップＢ４で外乱光の光量が予め設定された閾値以上であると判定された場合には、制御部８は、変動周波数による第２の原稿サイズ判定処理をサイズ判定部１２に指示し、サイズ判定部１２は、原稿読取部２（スキャナー２１）からの出力を変動周波数に基づいて解析することで、原稿サイズを判定する第２の原稿サイズ判定処理を実行する（ステップＢ６）。第２の原稿サイズ判定処理においては、原稿読取部２（スキャナー２１）からの出力において、光源２５の変動周波数と同一の場所は、原稿アリを検知、光源２５の変動周波数とは異なる場所は原稿ナシとして原稿サイズを判定する。このように、原稿読取部２（スキャナー２１）からの出力から光源２５の変動周波数以外をキャンセルすることで、外乱光が存在しても正確に原稿サイズを判定することができる。
【００３５】
ステップＢ５もしくはステップＢ６で判定された原稿サイズは、制御部８に出力され、判定した原稿サイズに基づいて読み取りの制御や印刷する用紙の選択等が行われる。
【００３６】
なお、本実施の形態では、外乱光を検出する外乱光検出手段として、原稿載置部３１に載置された原稿の有無を検出する原稿センサー３４を用いたが、外乱光を検出する専用の光学センサーを設けるようにしても良い。専用の光学センサーは、プラテンガラス２２の周辺や、上部カバーに配置することが望ましく、また、ユーザーによって外乱光の入射が妨げられない箇所に配置されることが望ましい。
【００３７】
以上説明したように本実施の形態においては、原稿センサー３４によって検出された外乱光の変動周波数に基づいて、制御部８は、駆動回路２６によって光源２５を駆動する周期を、光源２５の変動周波数が外乱光の変動周波数から最も離れたものになるように設定させると共に、サイズ判定部１２に対して、外乱光の光量が予め設定された閾値よりも小さいと判定された場合には、光量に基づいて原稿サイズを判定する第１の原稿サイズ判定処理を指示し、外乱光の光量が予め設定された閾値以上であると判定された場合には、変動周波数に基づいて原稿サイズを判定する第２の原稿サイズ判定処理を指示するように構成されている。これにより、手動の設定を行うことなく、外乱光の状況に応じて適切な原稿サイズ検出動作を選択して実行することができる。例えば、外乱光の光量が少ない場合や、外乱光の変動周波数が明らかに光源２５とは異なる場合には、特別な処理を行う必要がなく、余計な消費電力の削減や、処理速度の向上を実現できる。
【００３８】
さらに、本発明の画像形成装置において、外乱光を検出する原稿センサー３４は、原稿給送部３の原稿載置部３１に載置された原稿の有無を検出する光学センサーである。このように既存のセンサーを用いることで、コストを削減することができる。
【００３９】
さらに、本発明の画像形成装置において、駆動回路２６は、光源２５を第１周期Ｔ１もしくは第２周期Ｔ２のいずれかで駆動させ、制御部８は、駆動回路２６によって光源２５を駆動する周期を、光源２５の変動周波数が外乱光の変動周波数からより離れたものになるように、第１周期Ｔ１もしくは第２周期Ｔ２のいずれかに設定するように構成されている。このように、光源２５を駆動する周期を２種類から選択することで、光源２５の駆動周期を設定する動作を簡略化することができる。
【００４０】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【符号の説明】
【００４１】
１  画像形成装置
２  原稿読取部
３  原稿給送部
４  本体部
５  スタックトレイ
６  操作部
７  記録部
８  制御部
９  画像処理部
１０  記憶部
１１  外乱光判定部
１２  サイズ判定部
２１  スキャナー
２２  プラテンガラス
２３  原稿読取スリット
２４  開閉センサー
２５  光源
２６  駆動回路
３１  原稿載置部
３２  原稿排出部
３３  原稿搬送機構
３４  原稿センサー
４１  排出口
４２  給紙部
４２ａ１〜４２ａｎ  給紙カセット
４２ｂ１〜４２ｂｎ  給紙ローラー
４３  用紙搬送路
４４  搬送ローラー
４５  排出ローラー
６１  液晶表示部
６２  操作ボタン
７１  感光体ドラム
７２  露光部
７３  画像形成部
７４  転写部
７５  定着部
【図１】
0005684090.tif 000002
【図２】
0005684090.tif 000003
【図３】
0005684090.tif 000004
【図４】
0005684090.tif 000005